(57)【要約】      （修正有）【課題】ソーシャル・ネットワーキング・サービス（ＳＮＳ）において、ＳＮＳに参加するユーザーによって広告を効率的に行うことができるＳＮＳ用広告システムを提供する。【解決手段】ＳＮＳに係るＳＮＳ表示データをユーザーの端末装置に提供する広告システムにおいて、前記ＳＮＳ表示データ、広告データ、およびＳＮＳ表示データの各ユーザー自身のページの広告スペースに表示する広告データがどの広告データかの対応付けを示す貼付け広告情報を記憶する記憶手段と、端末装置からの前記貼付け広告情報の登録の依頼を受け付け、前記記憶手段の前記貼付け広告情報を更新する貼付け広告情報更新手段と、ユーザーの端末装置から該コンピュータにアクセスしてきたときに、前記記憶手段から読み出して、前記ＳＮＳ表示データとともに、前記貼付け広告情報によって対応付けられた広告データを、該ユーザーの端末装置に対して配信する広告データ配信手段とを備えた。【選択図】図１
2008171223.tif 000002
【特許請求の範囲】
【請求項１】
コンピュータを用いて、ソーシャル・ネットワーキング・サービスに係るＳＮＳ表示データをユーザーの端末装置に提供するソーシャル・ネットワーキング・サービス用の広告システムにおいて、
前記コンピュータが、
前記ＳＮＳ表示データ、広告データ、およびＳＮＳ表示データの各ユーザー自身のページの広告スペースに表示する広告データがどの広告データかの対応付けを示す貼付け広告情報を記憶する記憶手段と、
端末装置からの、前記貼付け広告情報の登録の依頼を受け付け、前記記憶手段の前記貼付け広告情報を更新する貼付け広告情報更新手段と、
ユーザーの端末装置から該コンピュータにアクセスしてきたときに、前記記憶手段から読み出して、前記ＳＮＳ表示データとともに、前記貼付け広告情報によって対応付けられた広告データを、該ユーザーの端末装置に対して配信する広告データ配信手段と
を備えたことを特徴とするソーシャル・ネットワーキング・サービス用の広告システム。
【請求項２】
前記広告スペースに広告データを表示する際の課金を管理する課金管理手段を備えたことを特徴とする請求項１に記載のソーシャル・ネットワーキング・サービス用の広告システム。
【発明の詳細な説明】
【技術分野】
【０００１】
本発明はソーシャル・ネットワーキング・サービス用広告システムに関し、詳しくは、ソーシャル・ネットワーキング・サービスにおいて、広告主に依頼された広告を各ユーザーが行うソーシャル・ネットワーキング・サービス用広告システムに関する。
【背景技術】
【０００２】
最近では、特許文献１に記載のようなソーシャル・ネットワーキング・サービスと呼ばれるサービスが提供され、大変多くの人に利用されている。
【０００３】
ソーシャル・ネットワーキング・サービスとは、何らかの繋がりのある人どうしが仲間を形成し、その仲間どうしだけでネットワーク上で会話をする環境を提供するものである。
【０００４】
このネットワーク上での会話は、たとえば、ユーザーがパソコン等によって文字入力するとともに他のユーザーが入力した文字を画面に表示して閲覧するような形で行われる。
【０００５】
ソーシャル・ネットワーキング・サービスを提供する運営会社において、その運営資金を得るための手段のひとつとして、ユーザーが閲覧する画面に広告を表示し、その広告主から広告料を得ることが行われていた。
【０００６】
【非特許文献１】ソーシャル・ネットワーキング  サービス［mixi（ミクシィ）］、［online］、株式会社ミクシィ、［平成１８年１１月６日検索］、インターネット＜URL：http://mixi.jp/home.pl＞
【発明の開示】
【発明が解決しようとする課題】
【０００７】
ところが、特許文献１に記載のような従来のソーシャル・ネットワーキング・サービスでは、ユーザーが閲覧する画面に広告を表示するのみであり、たとえば効率的に広告配信することは不可能であった。
【０００８】
また出願人は、効率的に広告配信するためには、ソーシャル・ネットワーキング・サービスの運営会社が広告を行うだけよりも、ソーシャル・ネットワーキング・サービスに参加するユーザーが広告を行うことの重要性に気付いた。
【０００９】
また出願人は、ソーシャル・ネットワーキング・サービスに参加するユーザーが広告を行うにあたって、ユーザーのページが他のユーザーから閲覧可能に公開されているものの、他のユーザーから多く閲覧されるページ（アクセス数が多いページ）とそうでないページとが存在することに気付いた。
【００１０】
本発明は上記の点にかんがみてなされたもので、ソーシャル・ネットワーキング・サービスにおいて、ソーシャル・ネットワーキング・サービスに参加するユーザーによって広告を効率的に行うことができるソーシャル・ネットワーキング・サービス用広告システムを提供することを目的とする。
【課題を解決するための手段】
【００１１】
本発明は上記の目的を達成するために、コンピュータを用いて、ソーシャル・ネットワーキング・サービスに係るＳＮＳ表示データをユーザーの端末装置に提供するソーシャル・ネットワーキング・サービス用の広告システムにおいて、前記コンピュータが、前記ＳＮＳ表示データ、広告データ、およびＳＮＳ表示データの各ユーザー自身のページの広告スペースに表示する広告データがどの広告データかの対応付けを示す貼付け広告情報を記憶する記憶手段と、端末装置からの、前記貼付け広告情報の登録の依頼を受け付け、前記記憶手段の前記貼付け広告情報を更新する貼付け広告情報更新手段と、ユーザーの端末装置から該コンピュータにアクセスしてきたときに、前記記憶手段から読み出して、前記ＳＮＳ表示データとともに、前記貼付け広告情報によって対応付けられた広告データを、該ユーザーの端末装置に対して配信する広告データ配信手段とを備えたことを特徴とする。
【００１２】
また本発明は請求項１に記載の発明において、前記広告スペースに広告データを表示する際の課金を管理する課金管理手段を備えたことを特徴とする。
【発明の効果】
【００１３】
本発明によれば、ソーシャル・ネットワーキング・サービスにおいて、ソーシャル・ネットワーキング・サービスに参加するユーザーによって広告を効率的に行うことができるソーシャル・ネットワーキング・サービス用広告システムを提供することができる。
【００１４】
すなわち、本発明によれば、広告主は、アクセス数が多くて広告効果の高いユーザーページに広告スペースを確保することによって効率的な広告を行うことができるという効果を奏する。
【００１５】
また、本発明によれば、ユーザーは、自身のページのアクセス数が多ければ広告スペースを高く売ることもできるため、自身のページのアクセス数を増やす努力を行い、ソーシャル・ネットワーキング・サービス自体を反映させることができるという効果を奏する。
【００１６】
また、一般に口コミの効果が知られているように知り合い同士のほうが広告効果が高く、本発明によれば、ソーシャル・ネットワーキング・サービスにおけるユーザー自身のページに貼られた広告を見る人は、そのユーザーの知り合いであるため、効果の高い広告を行うことができる。
【発明を実施するための最良の形態】
【００１７】
以下、本発明による実施の形態について図面を参照して説明する。
【００１８】
図１は、本発明によるソーシャル・ネットワーキング・サービス用広告システムの一実施の形態の構成を示すブロック図である。
【００１９】
図１に示すように、本実施の形態のソーシャル・ネットワーキング・サービス用広告システムは、広告配信用サーバー１とソーシャル・ネットワーキング・サービス用サーバー２と端末装置３と端末装置４とをネットワーク５で接続して構成される。
【００２０】
広告配信用サーバー１では、広告主から配信を依頼された広告データ（たとえば、静止画や動画、音声などを含むバナー）が、後述の記憶手段１３に記憶され、この記憶手段１３内のデータを管理し、ソーシャル・ネットワーキング・サービス用サーバー２と連係し、ソーシャル・ネットワーキング・サービスを実現するソフトウェアプログラムが、後述の制御手段１１にて動作する。
【００２１】
また、ソーシャル・ネットワーキング・サービス用サーバー２では、複数のユーザーによって作り上げられた掲示板等のソーシャル・ネットワーキング・サービス（以下「ＳＮＳ」ともいう）自体が提供するＳＮＳ表示データや、そのＳＮＳ表示データの各ユーザー自身のページに設けられた広告スペースに、どの広告データを貼り付けるかの対応付けを示す貼付け広告情報が、後述の記憶手段２３に記憶され、この記憶手段２３内のデータを管理し、広告配信用サーバー１と連係し、ソーシャル・ネットワーキング・サービスを実現するソフトウェアプログラムが、後述の制御手段２１にて動作する。
【００２２】
端末装置３や端末装置４は、ユーザーが操作するたとえばパソコン等の装置であり、ソーシャル・ネットワーキング・サービス用サーバー２に対してデータ送信し、ソーシャル・ネットワーキング・サービス用サーバー２にからのデータを受信し、表示するブラウザ等の、ソーシャル・ネットワーキング・サービスを実現するアプリケーションプログラムが後述の記憶手段３３等に記憶され、このアプリケーションプログラムが制御手段３１等にて動作する。
【００２３】
なお、ネットワーク５は、たとえばイーサネット（登録商標）やトークンリング等のＬＡＮやそのほかイントラネット、インターネットなど、また有線、無線を問わず、また通信プロトコルも問わず、どのようなネットワークでもかまわない。ネットワーク５に接続された各装置のそれぞれには、予めネットワーク上のアドレスが設定されており、各装置はこのアドレスによって識別され、ネットワーク５に接続された他の装置との通信を行う。
【００２４】
図２は、図１に示した広告配信用サーバー１の構成を示すブロック図である。
【００２５】
広告配信用サーバー１は、広告配信用サーバー１全体の動作を制御するＣＰＵやＭＰＵなどの制御手段１１と、たとえばＳＮＳの運用担当者が広告配信用サーバー１に対する操作、指示等を入力したり、広告配信用サーバー１が運用担当者に対して様々な情報を表示したり出力する入出力手段１２と、広告配信用サーバー１の動作に必要なプログラムおよびパラメータ等のほか、上述の広告データなどを記憶する記憶手段１３と、図１に示したソーシャル・ネットワーキング・サービス用サーバー２とのインタフェースであるネットワーク接続手段１４とを有して構成される。
【００２６】
入出力手段１２としては、たとえば、入力のためにキーボードやマウス等が用いられ、出力のためにディスプレイ装置等が用いられる。他の装置から操作可能な構成においては入出力手段１２は必須構成ではない。
【００２７】
図３は、図１に示したソーシャル・ネットワーキング・サービス用サーバー２の構成を示すブロック図である。
【００２８】
ソーシャル・ネットワーキング・サービス用サーバー２は、ソーシャル・ネットワーキング・サービス用サーバー２全体の動作を制御するＣＰＵやＭＰＵなどの制御手段２１と、たとえばＳＮＳの運用担当者がソーシャル・ネットワーキング・サービス用サーバー２に対する操作、指示等を入力したり、ソーシャル・ネットワーキング・サービス用サーバー２が運用担当者に対して様々な情報を表示したり出力する入出力手段２２と、ソーシャル・ネットワーキング・サービス用サーバー２の動作に必要なプログラムおよびパラメータ等のほか、上述のＳＮＳ表示データや、貼付け広告情報などを記憶する記憶手段２３と、図１に示した広告配信用サーバー１とのインタフェースであるネットワーク接続手段２４と、図１に示したネットワーク５とのインタフェースであるネットワーク接続手段２５とを有して構成される。
【００２９】
入出力手段２２としては、たとえば、入力のためにキーボードやマウス等が用いられ、出力のためにディスプレイ装置等が用いられる。他の装置から操作可能な構成においては入出力手段２２は必須構成ではない。
【００３０】
広告配信用サーバー１とソーシャル・ネットワーキング・サービス用サーバー２との接続は、ネットワーク５と同様に、たとえばイーサネット（登録商標）やトークンリング等のＬＡＮやそのほかイントラネット、インターネットなど、また有線、無線を問わず、また通信プロトコルも問わず、どのようなネットワークで接続されてもよいし、バス接続されてもかまわない。
【００３１】
また、広告配信用サーバーおよびソーシャル・ネットワーキング・サービス用サーバーの機能を併せ持つ１台のサーバーを用いるようにしてもよい。
【００３２】
図４は、図１に示した端末装置３の構成を示すブロック図である。
【００３３】
図１に示した端末装置３および４は、本実施の形態に関わる基本構成は同様であるので、ここでは代表して端末装置３について説明する。
【００３４】
端末装置３は、端末装置３全体の動作を制御するＣＰＵやＭＰＵなどの制御手段３１と、ユーザーが端末装置３に対する操作、指示等を入力したり、端末装置３がユーザーに対して様々な情報を表示したり出力する入出力手段３２と、端末装置３の動作に必要なプログラムおよびパラメータ等のほか、ソーシャル・ネットワーキング・サービス用広告システムの端末装置側のソフトウェアプログラム（たとえばブラウザ）などを記憶する記憶手段３３と、図１に示したネットワーク５とのインタフェースであるネットワーク接続手段３４とを有して構成される。
【００３５】
入出力手段３２としては、たとえば、入力のためにキーボードやマウス等が用いられ、出力のためにディスプレイ装置等が用いられる。
【００３６】
次に、本実施の形態のソーシャル・ネットワーキング・サービス用広告システムの動作について説明する。
【００３７】
本実施の形態のソーシャル・ネットワーキング・サービス用広告システムによれば、ユーザーは、端末装置３および４を用いてソーシャル・ネットワーキング・サービス用サーバー２にアクセスし、ソーシャル・ネットワーキング・サービスの提供を受け、その際にユーザーに対する広告配信が行われる。
【００３８】
広告主は、予め広告配信用サーバー１の記憶手段１３に、広告データを記憶させておく。広告データはバナー広告（静止画、動画、音声等を含む）でもよいし、広告対象の商品についてのインターネット上のページであってもよい。
【００３９】
一方、ソーシャル・ネットワーキング・サービス用サーバー２の記憶手段２３には、貼付け広告情報（ＳＮＳ表示データの各ユーザー自身のページの広告スペースに表示する広告データが、記憶手段１３内の広告データのうちどの広告データかの対応付け）が登録されている。貼付け広告情報は広告データを含むものであってもよい。
【００４０】
貼付け広告情報としては、たとえば、広告主の商品のインターネット上のページのＵＲＬへのリンクを、ユーザー自身のページの広告スペースに埋め込むことによって実現される。
【００４１】
図５は、図１に示したソーシャル・ネットワーキング・サービス用広告システムの動作を説明するブロック図であり、（ａ）はユーザーがソーシャル・ネットワーキング・サービスを利用するにあたって自身のユーザー登録をする動作を説明する図であり、（ｂ）はユーザーがユーザー自身のページの広告スペースを作成する動作を説明する図であり、（ｃ）は運用担当者が広告主に依頼された広告の広告データをユーザーページの広告スペースに貼り付ける動作を説明する図であり、（ｄ）はユーザーが広告されたページを閲覧する動作を説明する図である。
【００４２】
本実施のソーシャル・ネットワーキング・サービス用広告システムでは、まず、図５（ａ）に示すように、ユーザー６が、自分のアカウント（ユーザーＩＤ）をソーシャル・ネットワーキング・サービスに登録する。
【００４３】
続いて、本実施のソーシャル・ネットワーキング・サービス用広告システムでは、図５（ｂ）に示すように、ユーザーがユーザー自身のページの広告スペースを作成する。この操作は、たとえばユーザーページのレイアウトをシステム側で数種類用意して記憶しておき、その中からユーザーに選択させるようにしてもよいし、ユーザーがレイアウトを自由に設計できるようにしてもよい。
【００４４】
続いて、本実施のソーシャル・ネットワーキング・サービス用広告システムでは、図５（ｃ）に示すように、運用担当者７が、広告主に依頼された広告の広告データを広告配信用サーバー１の記憶手段１３に登録し、また、運用担当者７が、ソーシャル・ネットワーキング・サービス用サーバー２の記憶手段２３に、貼付け広告情報（ＳＮＳ表示データの各ユーザー自身のページの広告スペースに表示する広告データが、記憶手段１３内の広告データのうちどの広告データかの対応付け）を登録する。
【００４５】
運用担当者７による貼付け広告情報の登録は、広告主が広告データをどのユーザーページのどの広告スペースに貼り付けるかのその広告主による意思決定の結果を記憶手段２３に記憶することによって行われる。
【００４６】
広告主は、ユーザーページの広告スペースを一定期間だけ買い取り、その広告スペースに広告主自身が望む広告データを貼り付けることができる。
【００４７】
広告スペースを買い取る広告料は、どのくらいの期間買い取るか、広告データをどのユーザーページに貼り付けるか、そのユーザーページ中のどの広告スペースに貼る付けるかによって値段の差をつけることができ、たとえばアクセス数の多いページ、見易いスペースは広告料を高く設定することができる。この広告料の管理は、ソーシャル・ネットワーキング・サービス用サーバー２で行い、自動的に課金されるようにしてもよい。
【００４８】
運用担当者７による貼付け広告情報の登録の指示を受けたソーシャル・ネットワーキング・サービス用サーバー２は、対象の広告データを、広告配信用サーバー１の記憶手段１３から取得し、その広告データ（たとえばバナー広告のデータ）とともにその商品のページへのリンクを、そのユーザー自身のページに貼り付けるように、その対応付けを、記憶手段２３内の貼付け広告情報に登録する。
【００４９】
これが、端末装置からの、前記貼付け広告情報の登録の依頼を受け付け、前記記憶手段の前記貼付け広告情報を更新する貼付け広告情報更新手段である。
【００５０】
続いて、本実施のソーシャル・ネットワーキング・サービス用広告システムでは、ユーザー６のページを閲覧可能な別のユーザー８が、たとえば端末装置３を用いてユーザー６のページを閲覧する。
【００５１】
ソーシャル・ネットワーキング・サービス用サーバー２は、記憶手段２３のＳＮＳ表示データおよび貼付け広告情報を参照してユーザー６のページを形成する。このユーザー６のページには、広告スペースが設けられ、貼付け広告情報によって対応付けられた広告データが表示される。
【００５２】
ユーザー８は、このユーザー６のページを閲覧し、商品のバナー広告をマウスクリックするなどの選択操作をする。
【００５３】
このバナー広告は、広告主の商品のページにリンクされており、マウスクリックなどの選択操作によって、その商品のページへとジャンプして、端末装置３にてそのページを表示する（図５（ｄ）参照）。
【図面の簡単な説明】
【００５４】
【図１】本発明によるソーシャル・ネットワーキング・サービス用広告システムの一実施の形態の構成を示すブロック図である。
【図２】図１に示した広告配信用サーバー１の構成を示すブロック図である。
【図３】図１に示したソーシャル・ネットワーキング・サービス用サーバー２の構成を示すブロック図である。
【図４】図１に示した端末装置３の構成を示すブロック図である。
【図５】図１に示したソーシャル・ネットワーキング・サービス用広告システムの動作を説明するブロック図であり、（ａ）はユーザーがソーシャル・ネットワーキング・サービスを利用するにあたって自身のユーザー登録をする動作を説明する図であり、（ｂ）はユーザーがユーザー自身のページの広告スペースを作成する動作を説明する図であり、（ｃ）は運用担当者が広告主に依頼された広告の広告データをユーザーページの広告スペースに貼り付ける動作を説明する図であり、（ｄ）はユーザーが広告されたページを閲覧する動作を説明する図である。
【符号の説明】
【００５５】
１  広告配信用サーバー
２  ソーシャル・ネットワーキング・サービス用サーバー
３  端末装置
４  端末装置
５  ネットワーク
６、８  ユーザー
７  運用担当者
１１  制御手段
１２  入出力手段
１３  記憶手段
１４  ネットワーク接続手段
２１  制御手段
２２  入出力手段
２３  記憶手段
２４  ネットワーク接続手段
２５  ネットワーク接続手段
３１  制御手段
３２  入出力手段
３３  記憶手段
３４  ネットワーク接続手段
【図１】
2008171223.tif 000003
【図２】
2008171223.tif 000004
【図３】
2008171223.tif 000005
【図４】
2008171223.tif 000006
【図５】
2008171223.tif 000007